(57)【要約】      （修正有）【課題】圧縮蓋に関して、持つ際に手が汚れず、取り出し／格納がしやすく、安定的に格納される圧縮蓋付ゴミ箱を提供する。【解決手段】圧縮蓋付ゴミ箱１は、角筒の一端に底板を設けたゴミ箱本体２と、本体２の平面視による底板よりも小形の板で面上に取っ手３ａを備えた圧縮蓋３と、本体２周壁の１面に取り付けられ、圧縮蓋３を縦に挿入する挿入口４ｂを上方に備え、圧縮蓋３の左右と下部の周辺をカバー４ａで囲い、挿入／取り出し時に外方に向いた取っ手３ａが上下する周辺にはカバー４ａのない圧縮蓋格納部４を有する。【選択図】図１
0003233330.tif 000002
【実用新案登録請求の範囲】
【請求項１】
角筒の一端に底板を設けたゴミ箱本体と、前記本体の平面視による前記底板よりも小形の板で面上に取っ手を備えた圧縮蓋と、前記本体周壁の１面に取り付けられ、前記圧縮蓋を縦に挿入する挿入口を上方に備え、前記圧縮蓋の左右と下部の周辺をカバーで囲い、挿入／取り出し時に外方に向いた前記取っ手が上下する周辺には前記カバーのない圧縮蓋格納部と、を有する圧縮蓋付ゴミ箱。
【請求項２】
前記圧縮蓋格納部の左右両側の前記カバー内に、前記本体外面から突出する段差で縦方向に延びる帯状段差部を有する、請求項1に記載の圧縮蓋付ゴミ箱。
【請求項３】
前記圧縮蓋格納部の左右両側には、その上面から下方に向かって前記本体外面に沿い、上部が広く下部が狭い形状のスリットを有する、請求項１又は２に記載の圧縮蓋付ゴミ箱。
【考案の詳細な説明】
【技術分野】
【０００１】
本考案は、家庭やオフィス等で使用するゴミ箱に係り、特に収容したゴミを圧縮することができる圧縮蓋付ゴミ箱に関する。
【背景技術】
【０００２】
ゴミ箱に投入したゴミが満杯に近づいたときに、落し蓋をゴミの上に置いて手や足で圧縮する方式のゴミ箱が特許文献１に提案されている。紙屑やティッシュペーパーのゴミは嵩張るが圧縮すると半分以下になること、また尖ったものがゴミに混入している場合に手で圧縮すると危険であることに対して、この提案は安全に圧縮することができ、ゴミ箱の容積を有効に利用することができる。
【０００３】
しかし、落し蓋の格納方法として、外筒外面に取り付けたフックに掛ける方法では、落し蓋にあけた穴にフックを通す必要があって注視しながらの作業となること、また水分を含んだゴミを圧縮した場合には落し蓋の穴を通して徐々に水分が上がり、落し蓋の上面が汚れて手や足が汚れるという欠点があった。
【０００４】
また、落し蓋の外周に相対する２個の突起を設けて内筒上面のくぼみに嵌め込み、落し蓋を半開きの状態にしておく方法では、ゴミを捨てる際に落し蓋を手で持って少し上げてから捨てる必要があり、汚れた落し蓋の裏面や外周で手が汚れるという欠点があった。
【０００５】
また、内筒の上部に２個の縦溝を設けて落し蓋を縦にはめ込み、落し蓋を直立させる方法では、通常、内筒のすぐ外側には外筒があるため、少ししか落し蓋が掛からず、不安定となる欠点があった。また内筒を小さくして外筒との間隙を大きくとる方法では、落し蓋は安定するがゴミ箱としての容量が小さくなる欠点があった。  
【０００６】
上記０００３、０００４、０００５の格納方法全てに当てはまるが、圧縮時には落し蓋の端を手で持ってゴミの上に置いたり格納したりする必要があり、落し蓋の汚れた裏面や外周で手が汚れる欠点があった。
【先行技術文献】
【特許文献】
【０００７】
【特許文献１】特開平７−１４９４０２号公報
【考案の概要】
【考案が解決しようとする課題】
【０００８】
本考案は上記の欠点を解決するためになされたものであって、圧縮蓋に関して、持つ際に手が汚れず、取り出し／格納がしやすく、安定的に格納される圧縮蓋付ゴミ箱を提供することを目的としている。
【課題を解決するための手段】
【０００９】
前記課題を解決するための第１の考案は、角筒の一端に底板を設けたゴミ箱本体と、前記本体の平面視による前記底板よりも小形の板で面上に取っ手を備えた圧縮蓋と、前記本体周壁の１面に取り付けられ、前記圧縮蓋を縦に挿入する挿入口を上方に備え、前記圧縮蓋の左右と下部の周辺をカバーで囲い、挿入／取り出し時に外方に向いた前記取っ手が上下する周辺には前記カバーのない圧縮蓋格納部と、を有する圧縮蓋付ゴミ箱である。
【００１０】
上記の構成によれば、本体が平面視で角形のため、その周壁４面のうちの１面に圧縮蓋格納部を設けることができる。また、圧縮蓋には取っ手があるため蓋の汚れた裏面や外周に触れることなく持つことができる。圧縮蓋格納部は圧縮蓋の取っ手が上下する周辺にはカバーがないため、取っ手を持った状態で圧縮蓋の取出しと格納ができる。また、圧縮蓋格納部は圧縮蓋の左右と下部の周辺を包み込んでいるため、安定した格納ができる。
【００１１】
第２の考案は、第１の考案において、前記圧縮蓋格納部の左右両側の前記カバー内に、前記本体外面から突出する段差で縦方向に延びる帯状段差部を有する圧縮蓋付ゴミ箱である。この構成によれば、圧縮蓋が段差上とカバーの間に挿入されて、圧縮蓋の汚れた裏面や外周が本体外面に接触しないため、圧縮蓋取り出し後の本体外面を手で触っても手が汚れることはない。
【００１２】
第３の考案は、第１又は第２の考案において、前記圧縮蓋格納部の左右両側には、その上面から下方に向かって前記本体外面に沿い、上部が広く下部が狭い形状のスリットを有する圧縮蓋付ゴミ箱である。この構成によれば、ゴミ袋を使用する場合に、本体内に装填したゴミ袋の上部の外側への折り返し部をスリットに差し挟み、左右のスリット間の折り返し部を弛みなく張っておくことによって、圧縮蓋の取り出しと格納の際に折り返し部に引っ掛かりにくくなる。帯状段差部を有する場合では圧縮蓋が折り返し部に引っ掛かることがなく、また折り返し部が圧縮蓋の汚れた裏面や外周で汚れないので、ゴミ袋を取り出して口を縛る際に手が汚れない。
【考案の効果】
【００１３】
本考案によれば、圧縮蓋に関して、持つ際に手が汚れず、取り出し／格納がしやすく、安定的に格納される圧縮蓋付ゴミ箱を提供することができる。
【図面の簡単な説明】
【００１４】
【図１】本実施形態に係る圧縮蓋付ゴミ箱を示す正面図である。
【図２】本実施形態に係る圧縮蓋付ゴミ箱を示す平面図である。
【図３】本実施形態に係る圧縮蓋付ゴミ箱のＡ−Ａ断面図である。
【図４】本実施形態に係る圧縮蓋の使用状態を示す平面図である。
【図５】本実施形態に係る圧縮蓋の使用状態を示す側面図である。
【考案を実施するための形態】
【００１５】
以下、本考案に係る実施形態について、図面に基づいて説明する。
【００１６】
図１〜３は、圧縮蓋付ゴミ箱１の形状を表している。本体２は平面視で角形であり、側面４面のうちの１面の上方寄りに圧縮蓋格納部４が設けられている。圧縮蓋３は本体２の平面視での底板２ａよりも小形の平板で、そのほぼ中央に取っ手３ａが取り付けられている。圧縮蓋格納部４は正面の上方と中央部分にはカバー４ａがなく、縦にした圧縮蓋３の左右と下部の周辺を緩く包む形で保持する構造であり、上部が圧縮蓋３の挿入口４ｂとなっている。
【００１７】
圧縮蓋格納部４の左右両側のカバー４ａ内には、本体２の外面から突出する段差で圧縮蓋格納部４の上端から下端まで延びる帯状段差部５が設けられている。帯状段差部５には上端から下方に向けて本体２外面に沿った切込みであるスリット６が入っている。スリット６は上方がやや広く、下部はゴミ袋が程よく拘束される幅となっている。
【００１８】
帯状段差部５を設けない場合は、左右両側のカバー４ａの上記と同位置に同様のスリット６を設ける（不図示）。
【００１９】
次に、圧縮蓋付ゴミ箱１の使用方法を説明する。
図４と図５は圧縮蓋３の使用状態を表している。ゴミ袋７を使用する場合は、ゴミ袋７を本体２の中へ装填し、ゴミ袋７の上部を外側へ折り返す。その折り返し部７ａをスリット６の中へ差し挟み、左右のスリット６の外側から折り返し部７ａを左右に引っ張って、スリット６間の折り返し部７ａを弛みなく張っておく。
【００２０】
ゴミ箱本体２に投入されたゴミ８が満杯に近づいたとき、圧縮蓋格納部４に格納されている圧縮蓋３の取っ手３ａを摘まみ、引き上げて取り出す。圧縮蓋３をゴミ８の上に置いて上から手で押圧し、ゴミ８の嵩が減じられたら圧縮蓋３の取っ手３ａを摘まんで本体２から取り出す。取っ手３ａを摘まんだ状態で圧縮蓋３を縦にし、圧縮蓋格納部４の挿入口４ｂから挿入して格納する。このとき、挿入口４ｂの奥行きが下部のそれよりも広くなっているので挿入しやすい。また、圧縮蓋３の取り出し、圧縮、格納の各作業では、手を汚すことなく作業することができる。
【００２１】
ゴミ袋７を使用している場合、スリット６間のゴミ袋７の折り返し部７ａが帯状段差部５よりも後方にあって、圧縮蓋３が折り返し部７ａに当たらないので取出し／格納がしやすく、また折り返し部７ａが圧縮蓋３の裏面や外周で汚れないので、ゴミ袋７を取り出して口を縛る際に手が汚れない。
【００２２】
圧縮蓋格納部４正面の中央部の本体２外面が、帯状段差部５があることによって圧縮蓋３の裏面や外周で汚れていないため、ゴミ袋７を使用せず、ゴミ８を少し離れた集積場へ捨てに行くときに、その本体２外面を手で持っても手が汚れることはない。
【００２３】
尚、ゴミ袋７を使用している場合、ゴミ８を投入する際に粘着テープや湿布薬等、粘着部を有するゴミ８を捨てる場合には、その粘着部をゴミ袋７の内面に接着させないようにしておけば、圧縮蓋３にて圧縮する際にゴミ袋７の上部のずり落ちる量は僅かで済む。
【符号の説明】
【００２４】
１  圧縮蓋付ゴミ箱        ２  本体        ２ａ  底板        ３  圧縮蓋
３ａ  取っ手        ４  圧縮蓋格納部        ４ａ  カバー        ４ｂ  挿入口
５  帯状段差部        ６  スリット        ７  ゴミ袋        ７ａ  折り返し部
８  ゴミ
【図１】
0003233330.tif 000003
【図２】
0003233330.tif 000004
【図３】
0003233330.tif 000005
【図４】
0003233330.tif 000006
【図５】
0003233330.tif 000007